(57)【要約】      （修正有）【課題】分岐作業時の作業性と光ファイバの収納効率とを両立できる光ケーブル用クロージャを提供する。【解決手段】複数の光ファイバＢが束ねられてなる光ケーブルの分岐部位Ｄを収納する光ケーブル用クロージャＡであって、収納板１と、分岐部位における一部もしくは全ての光ファイバをそれぞれ収納可能な複数の棚枠３ｂを備える。複数の棚枠が棚間に収納空間を確保した状態で積層されて収納板に載置されてなる収納棚部３と、収納棚部が収納板に当接もしくは近接する棚部収納位置と、収納棚部が収納板から上昇して棚枠に収納した光ファイバに対する作業空間が収納棚部の周囲に確保される棚部作業位置との間で、収納棚部の位置を変更可能に、収納棚部を収納板に装着する棚部装着機構とからなる。【選択図】図１
0003191086.tif 000002
【実用新案登録請求の範囲】
【請求項１】
複数の光ファイバが束ねられてなる光ケーブルの分岐部位を収納する光ケーブル用クロージャであって、
収納板と、
前記分岐部位における一部もしくは全ての光ファイバをそれぞれ収納可能な複数の棚枠を備え、当該複数の棚枠が棚間に収納空間を確保した状態で積層されて前記収納板に載置されてなる収納棚部と、
前記収納棚部が前記収納板に当接もしくは近接する棚部収納位置と、前記収納棚部が前記収納板から上昇して前記棚枠に収納した前記光ファイバに対する作業空間が前記収納棚部の周囲に確保される棚部作業位置との間で、前記収納棚部の位置を変更可能に、前記収納棚部を前記収納板に装着する棚部装着機構と、
を備える、
ことを特徴とする光ケーブル用クロージャ。
【請求項２】
前記棚部装着機構は、
前記収納棚部の底面に垂直配置された少なくとも３本の案内ピンと、
前記収納棚部に設けられて前記案内ピンを挿通させる案内孔と、
前記収納棚部を前記案内ピンの上端側で固定する棚部固定部と、
を備える、
ことを特徴とする請求項１に記載の光ケーブル用クロージャ。
【請求項３】
前記棚部固定部は、
少なくとも一つの前記案内ピンの上端にピン軸長に沿って形成された雌ねじ孔と、
前記雌ねじ孔に螺着された雄ねじ体と、
前記収納棚部に、前記雌ねじ孔が形成された前記案内ピンに対向する前記案内孔と並列にかつ当該案内孔に連通して形成された装着孔と、
を有し、
前記装着孔は、前記雄ねじ体の螺子軸が挿通可能でかつ前記案内ピンが挿通不能な大きさを有し、
前記雄ねじ体は、前記装着孔と前記案内孔とに挿通不能な大きさを有する螺子頭を有する、
ことを特徴とする請求項２に記載の光ケーブル用クロージャ。
【請求項４】
隣接する前記棚枠の一端どうしを互いに開閉自在に連結する蝶番をさらに有しており、
棚枠積層方向に沿って隣接する蝶番の取付位置を互いに異ならせている、
ことを特徴とする請求項１ないし３のいずれかに記載の光ケーブル用クロージャ。
【請求項５】
前記棚枠が互いに閉塞された状態で、前記収納棚部と前記収納板とを面ファスナを介して締結する棚部締結帯をさらに有している、
ことを特徴とする請求項４に記載の光ケーブル用クロージャ。
【請求項６】
前記棚部締結帯は、任意の前記棚枠が選択的に開放された状態で、前記収納棚部を前記収納板に締結可能である、
ことを特徴とする請求項５に記載の光ケーブル用クロージャ。
【請求項７】
前記収納板には、前記分岐部位における一部もしくは全ての光ファイバを着脱自在に把持する把持部をさらに有する、
ことを特徴とする請求項１ないし６のいずれかに記載の光ケーブル用クロージャ。
【請求項８】
前記棚枠は、
棚板と、
前記棚板の側縁の複数箇所を立設してなる支持部と、
をさらに有する、
ことを特徴とする請求項１ないし７のいずれかに記載の光ケーブル用クロージャ。
【請求項９】
前記収納板は、前記光ケーブルの分岐部位を把持するケーブルクランプをさらに有し、
前記ケーブルクランプは、前記光ケーブルのテンションメンバを把持するテンションメンバクランプを有し、
前記棚部収納位置における前記収納棚部と前記収納板との間の収納板垂直方向に沿った離間距離hminと、前記棚部作業位置における前記収納棚部と前記収納板との間の収納板垂直方向に沿った離間距離hmaxとは、以下の式により規定される、
ことを特徴とする請求項１ないし８のいずれかに記載の光ケーブル用クロージャ。
hmin = ht + hy
hmax = Δhmax + h0 - h1
Δhmax = √[(Lmax - 2R・tan-1p/q)2 + 4R2 - x2] ＋ 2R
Lmax = 2R・cos-1[1-(x2 + y2)/(8R2)]
p = [R2・a± R・b√(a2+b2+R2)] / (a2 + b2)
q = (R2-p・a) / b
a = x/2
b = (Δhmax - 2R) / 2
ht: 前記テンションメンバクランプの高さ寸法
h0: 前記ケーブルクランプの把持位置において前記光ケーブルから引き出された前記光ファイバのファイバ軸心と前記収納板との間の収納板垂直方向に沿った離間距離
hy: 収納棚部最低部にある前記棚枠の高さ寸法
Δhmax: 前記ケーブルクランプの把持位置において前記光ケーブルから引き出された前記光ファイバのファイバ軸心と、収納棚部最低部にある前記棚枠のファイバ引き込み位置における前記棚部作業位置での前記光ファイバのファイバ軸心との間の収納板垂直方向に沿った離間距離
h1: 収納棚部最低部にある前記棚枠の底面とこの棚枠のファイバ引き込み位置における前記光ファイバのファイバ軸心との間の収納板垂直方向に沿った離間距離
Lmax: 前記ケーブルクランプの把持位置と収納棚部最低部にある前記棚枠のファイバ引き込み位置との間における許容最長ファイバ余長
R: 前記光ファイバの許容最小曲げ半径
x: 前記ケーブルクランプに把持された前記光ケーブルのファイバ引き出し位置と収納棚部最低部にある前記棚枠のファイバ引き込み位置との間の収納板平面のｘ軸方向に沿った離間距離
y:前記ケーブルクランプに把持された前記光ケーブルのファイバ引き出し位置と収納棚部最低部にある前記棚枠のファイバ引き込み位置との間の収納板平面のｙ軸方向に沿った離間距離
【請求項１０】
前記棚部収納位置における前記収納棚部と前記収納板との間の収納板垂直方向に沿った離間距離が２０ｍｍ以上１００ｍｍ以下である、
ことを特徴とする請求項８ないし９のいずれかに記載の光ケーブル用クロージャ。
【考案の詳細な説明】
【技術分野】
【０００１】
本考案は、マンション、オフィスビル、トンネルなどの構築物に引き込まれた光ケーブルから分岐光ファイバを分岐させる際に利用する光ケーブル用クロージャに関する。
【背景技術】
【０００２】
光ケーブル用クロージャは、複数の光ファイバが束ねられてなる光ケーブルの分岐部位を収納するものであって、配電室、配電ボックス、トンネル等の壁面にネジ連結等により装着される。装着後のクロージャにおいて、必要に応じて光ファイバの分岐作業が行われる。
【特許文献１】特許２７０３９２３号公報
【特許文献２】特許４１４４７４３号公報
【考案の概要】
【考案が解決しようとする課題】
【０００３】
装着後のクロージャにおいて実施される分岐作業は、通常、クロージャを配電室、配電ボックス、トンネル等の壁面に取り付けたままで行われる。そのため、分岐作業の作業性の向上が要望されていた。分岐作業の作業性を向上させるためには、収納する光ファイバの量に比してクロージャの容積を大きくすることで、クロージャ内の光ファイバ周囲に十分なる作業空間を確保すればよい。しかしながら、そうすれば、クロージャの大きさが大きくならざるを得ず、収納容積に限りのある配電室や配電ボックスに設置する光ケーブル用クロージャとして不向きなものとなる。
【０００４】
本考案は、このような実情に着目してなされたものであって、光ケーブル用クロージャにおける分岐作業の作業性と光ファイバの収納効率とを両立させることが可能な光ケーブル用クロージャを提供することを目的とするものである。
【課題を解決するための手段】
【０００５】
上記目的を達成するために、本考案は以下のように構成する。すなわち、本考案は、複数の光ファイバが束ねられてなる光ケーブルの分岐部位を収納する光ケーブル用クロージャであって、
収納板と、
前記分岐部位における一部もしくは全ての光ファイバをそれぞれ収納可能な複数の棚枠を備え、当該複数の棚枠が棚間に収納空間を確保した状態で積層されて前記収納板に載置されてなる収納棚部と、
前記収納棚部が前記収納板に当接もしくは近接する棚部収納位置と、前記収納棚部が前記収納板から上昇して前記棚枠に収納した前記光ファイバに対する作業空間が前記収納棚部の周囲に確保される棚部作業位置との間で、前記収納棚部の位置を変更可能に、前記収納棚部を前記収納板に装着する棚部装着機構と、
を備える。
【０００６】
上記構成によれば、収納時には、収納棚部を、棚部装着機構によって、収納板に当接もしくは近接する棚部収納位置に装着させることで、収納棚部を最小の収納容積で収納効率よく収納板に装着することができる。しかしながら、光ケーブ用クロージャが収納される配電室や配電ボックスは、限られた収納空間にクロージャを含めて多数の部品や装置を収納するため、クロージャを収納した状態において、棚枠に収納した光ファイバに対する作業空間を収納棚部の周囲に確保することは困難であって、この位置で分岐作業を作業効率高く実施することはできない。そこで、分岐作業を行う際には、棚枠に収納した光ファイバに対する作業空間が収納棚部の周囲に確保される棚部作業位置まで収納棚部を収納板から上昇させる。これにより、収納棚部の周囲には十分な作業空間が確保されて、分岐作業を作業効率高く実施することができるようになる。
【０００７】
本考案では、
前記棚部装着機構は、
前記収納棚部の底面に垂直配置された少なくとも３本の案内ピンと、
前記収納棚部に設けられて前記案内ピンを挿通させる案内孔と、
前記収納棚部を前記案内ピンの上端側で固定する棚部固定部と、
を備えるのが好ましく、そうすれば、棚部装着機構を比較的簡単な構成で実現することが可能となる。また、案内孔を案内ピンに挿通させることで、収納棚部を、棚部収納位置と棚部作業位置との間で自由に上下動させることが可能になるうえ、棚部固定部によって収納棚部を棚部作業位置で固定することで、棚部作業位置での光ファイバに対する作業（分岐作業等）を容易かつ確実に実施することが可能となる。
【０００８】
さらに、本考案では、
前記棚部固定部は、
少なくとも一つの前記案内ピンの上端にピン軸長に沿って形成された雌ねじ孔と、
前記雌ねじ孔に螺着された雄ねじ体と、
前記収納棚部に、前記雌ねじ孔が形成された前記案内ピンに対向する前記案内孔と並列にかつ当該案内孔に連通して形成された装着孔と、
を有し、
前記装着孔は、前記雄ねじ体の螺子軸が挿通可能でかつ前記案内ピンが挿通不能な大きさを有し、
前記雄ねじ体は、前記装着孔と前記案内孔とに挿通不能な大きさを有する螺子頭を有するのが好ましい。そうすれば、次のようにして収納棚部を収納板に装着することが可能となる。
【０００９】
すなわち、まず、雄ねじ体を雌ねじ孔から取り外した状態で、収納棚部の案内孔に案内ピンを挿入し、さらにこの状態で雌ねじ孔に雄ねじ体を螺着する。これにより、雄ねじ体の螺子頭が収納棚部の抜け止めになった状態で、収納板に対して収納棚部を、上下動可能かつ抜け出し不能に装着することができる。この状態で、雌ねじ孔に対する雄ねじ体の螺着を緩め、そのうえで案内孔周囲の収納棚部の部位が螺子頭に当接する位置まで収納棚部を案内ピンに沿って上昇させる。さらにこの状態で、案内ピンの立設方向と直交しかつ雄ねじ体の螺子軸が装着孔に入り込む方向に沿って収納棚部をスライド移動させることで、案内ピンの上端に収納棚部を当接させ、さらに装着孔に雄ねじ体の螺子軸を収納する。このとき、螺子頭が抜け止めとなっているので、収納棚部を案内ピンから脱落させることなくスライド移動させることができる。この状態で収納棚部は、棚部作業位置に位置することになる。そこで、雄ねじ体を締め付けて螺子頭と案内ピンの上端との間で収納棚部を挟持することで、収納棚部は棚部作業位置で固定的に保持されることになる。
【００１０】
収納棚部を棚部作業位置から棚部収納位置に移動させる際には、まず、雄ねじ体の締め付けを緩めて螺子頭と案内ピンの上端とによる収納棚部の挟持を解除する。この状態で、案内ピンの立設方向と直交しかつ雄ねじ体の螺子軸が案内孔に入り込む方向に沿って、収納棚部をスライド移動させる。スライド移動は、案内孔が案内ピンに挿通可能となる位置まで行う。これにより、収納棚部は、案内孔と案内ピンとの係合による案内を受けつつ棚部収納位置まで下降可能となる。収納棚部のスライド移動に際しては、雄ねじ体は螺着力を緩めるものの案内ピンから取り除かないので螺子頭は収納棚部の抜け止めとなる。そのため、収納棚部を案内ピンから脱落させることなくスライド移動させることができる。
【００１１】
また、本考案では、
隣接する前記棚枠の一端どうしを互いに開閉自在に連結する蝶番をさらに有しており、
棚枠積層方向に沿って隣接する蝶番の取付位置を互いに異ならせているのが好ましく、そうすれば、棚枠それぞれを自在に開閉させることが可能となる。また、棚枠積層方向に沿って隣接する蝶番の取付位置を互いに異ならせているので、棚枠開閉動作時における蝶番それぞれの動きは、蝶番どうしで互いに邪魔し合うこともない。
【００１２】
また、本考案では、前記棚枠が互いに閉塞された状態で、前記収納棚部と前記収納板とを面ファスナを介して締結する棚部締結帯をさらに有するのが好ましく、そうすれば、閉塞状態の収納棚部を収納板の棚部収納位置に収納する作業の作業性がさらに向上する。
【００１３】
また、本考案では、前記棚部締結帯は、任意の前記棚枠が選択的に開放された状態で、前記収納棚部を前記収納板に締結可能であるのが好ましく、そうすれば、棚部作業位置において、任意の棚枠だけを選択的に開放し他の棚枠を閉塞させた状態で、開放状態の棚枠上の光ファイバに対する作業を行うことが可能となり、その分、棚部作業位置において棚枠上の光ファイバに実施する作業の作業性がさらに向上する。
【００１４】
また、本考案では、前記収納板には、前記分岐部位における一部もしくは全ての光ファイバを着脱自在に把持する把持部をさらに有するのが好ましく、そうすれば、分岐部位における光ファイバの収納板内での取り回しや保持を容易に行うことが可能になる。
【００１５】
また、本考案では、前記棚枠は、棚板と、前記棚板の側縁の複数箇所を立設してなる支持部とをさらに有するのが好ましく、そうすれば、相互に収納空間を確保した状態で積層可能な棚板を容易に設けることが可能になる。
【００１６】
また、本考案では、
前記収納板は、前記光ケーブルの分岐部位を把持するケーブルクランプをさらに有し、
前記ケーブルクランプは、前記光ケーブルのテンションメンバを把持するテンションメンバクランプを有し、
前記棚部収納位置における前記収納棚部と前記収納板との間の収納板垂直方向に沿った離間距離hminと、前記棚部作業位置における前記収納棚部と前記収納板との間の収納板垂直方向に沿った離間距離hmaxとは、以下の式により規定されるのが好ましい。
hmin = ht + hy
hmax = Δhmax + h0 - h1
Δhmax = √[(Lmax - 2R・tan-1p/q)2 + 4R2 - x2] ＋ 2R
Lmax = 2R・cos-1[1-(x2 + y2)/(8R2)]
p = [R2・a± R・b√(a2+b2+R2)] / (a2 + b2)
q = (R2-p・a) / b
a = x/2
b = (Δhmax - 2R) / 2
ht: 前記テンションメンバクランプの高さ寸法
h0: 前記ケーブルクランプの把持位置において前記光ケーブルから引き出された前記光ファイバのファイバ軸心と前記収納板との間の収納板垂直方向に沿った離間距離
hy: 収納棚部最低部にある前記棚枠の高さ寸法
Δhmax: 前記ケーブルクランプの把持位置において前記光ケーブルから引き出された前記光ファイバのファイバ軸心と、収納棚部最低部にある前記棚枠のファイバ引き込み位置における前記棚部作業位置での前記光ファイバのファイバ軸心との間の収納板垂直方向に沿った離間距離
h1: 収納棚部最低部にある前記棚枠の底面とこの棚枠のファイバ引き込み位置における前記光ファイバのファイバ軸心との間の収納板垂直方向に沿った離間距離
Lmax: 前記ケーブルクランプの把持位置と収納棚部最低部にある前記棚枠のファイバ引き込み位置との間における許容最長ファイバ余長
R: 前記光ファイバの許容最小曲げ半径
x: 前記ケーブルクランプに把持された前記光ケーブルのファイバ引き出し位置と収納棚部最低部にある前記棚枠のファイバ引き込み位置との間の収納板平面のｘ軸方向に沿った離間距離
y:前記ケーブルクランプに把持された前記光ケーブルのファイバ引き出し位置と収納棚部最低部にある前記棚枠のファイバ引き込み位置との間の収納板平面のｙ軸方向に沿った離間距離
ここで、前記棚部収納位置における前記収納棚部と前記収納板との間の収納板垂直方向に沿った離間距離が２０ｍｍ以上１００ｍｍ以下である、のが好ましい。
【考案の効果】
【００１７】
このように、本考案によれば、光ケーブル用クロージャにおける分岐作業の作業性と光ファイバの収納効率とを両立させることが可能な光ケーブル用クロージャを実現することができる。
【図面の簡単な説明】
【００１８】
【図１】本考案の実施の形態の光ケーブル用クロージャの収納棚部収納状態での平面図である。
【図２】実施の形態の光ケーブル用クロージャの収納棚部収納状態での正面図である。
【図３】実施の形態の光ケーブル用クロージャを構成する収納棚部の一部切欠平面図である。
【図４】実施の形態の光ケーブル用クロージャの要部拡大断面図である。
【図５】実施の形態の光ケーブル用クロージャの収納棚部作業状態での平面図である。
【図６】実施の形態の光ケーブル用クロージャの収納棚部作業状態での正面図である。
【図７】光ケーブルの分岐端の構造を示す平面図である。
【図８】棚部収納位置における収納棚部と収納板との間の収納板垂直方向に沿った離間距離hminの算定の説明と、棚部作業位置における収納棚部と収納板との間の収納板垂直方向に沿った離間距離hmaxの算定の説明とに供する図であって、（ａ）は要部の正面図であり、（ｂ）は要部の平面図である。
【考案を実施するための形態】
【００１９】
以下、本考案の実施の形態のいくつかを図面に基づいて説明する。
【００２０】
図１〜図６に、本発明の光ケーブル用クロージャの実施の形態が示されている。図１は、棚部収納位置における光ケーブル用クロージャの平面図であり、図２は、棚部収納位置における光ケーブル用クロージャの正面図であり、図３は、収納棚部の一部切欠平面図であり、図４は光ケーブル用クロージャの要部拡大断面図であり、図５は、棚部作業位置における光ケーブル用クロージャの平面図を示し、図６は、棚部作業位置における光ケーブル用クロージャの正面図を示している。
【００２１】
クロージャＡの説明に先だって、まず、光ケーブルＣの分岐部位Ｄの構造を説明する。光ケーブルＣは、図７に示すように、束ねられた複数の光ファイバ（本実施の形態では光ファイバコード）Ｂを有しており、分岐部位Ｄは光ケーブルＣの長手方向の任意の中途部位に設けられている。分岐部位Ｄでは、光ケーブルＣの外被Ｅが、任意の長さに渡って光ケーブルＣから剥がされており、これにより光ケーブルＣに収納されている複数の光ファイバＢは切断されることなく分岐部位Ｄで露出している。光ケーブルＣはテンションメンバＦを有しているが、分岐部位ＤにおいてテンションメンバＦは切断されている。さらに分岐部位ＤにおけるテンションメンバＦは、分岐部位Ｄの両端Ｄａ、Ｄａそれぞれから若干の長さで突出する把持端Ｆａを残して切除されている。
【００２２】
光ケーブル用クロージャＡは、以上の構成を有する光ケーブルＣの分岐部位Ｄを収納するものである。クロージャＡは、図１等に示すように、収納板１と、本線側ケーブルクランプ２Ａ、２Ｂと、分岐側ケーブルクランプ２Ｃ、２Ｄと、収納棚部３とを有している。収納板１は、アルミニウム等の金属製長矩形状の平板からなり、長手方向中央部には、収納棚部３を締結固定する棚部締結帯１ａを有している。棚部締結帯１ａは、収納棚部３を面ファスナを介して離合自在に収納板１に締結している。
【００２３】
本線側ケーブルクランプ２Ａ、２Ｂは、光ケーブルＣの分岐部位両端Ｄａ、Ｄａそれぞれを把持している。分岐部位両端Ｄａ、Ｄａの把持に際しては、分岐部位両端Ｄａ、Ｄａは、通常の離間位置（通常のケーブル長さに相当する離間位置）より十分に近接する位置まで互いに近づけられた状態で本線側ケーブルクランプ２Ａ、２Ｂによって把持されている。これにより、分岐部位Ｄにおいて光ファイバＢに分岐用の余長Ｂａが形成される。なお、分岐部位両端Ｄａから突出するテンションメンバＦの把持端Ｆａは、本線側ケーブルクランプ２Ａ、２Ｂに設けられたテンションメンバクランプ２ａによって把持されている。
【００２４】
収納棚部３は、底板３ａと、複数（本実施の形態では３個）の棚枠３ｂと有している。底板３ａと棚枠３ｂとはアルミニウム等の金属平板からなる。底板３ａは長矩形形状をしている。棚枠３ｂそれぞれは四隅が切除された平板形状をしており、さらに四辺それぞれに側壁形状を有する支持部３ｃが設けられている。支持部３ｃは、棚枠周縁の一部を立ち上げてさらに棚枠平面方向内側に向けてコの字状に屈曲させることで形成されている。複数の棚枠３ｂは積層されており、上方側の棚枠３ｂの底面を、下方側の棚枠３ｂの支持部３ｃの上面に当接させることで、各棚枠３ｂの上方に、支持部３ｃの高さ寸法に応じた収納空間３ｄが形成されている。
【００２５】
棚枠３ｂどうしは、蝶番４によって互いに開閉自在に連結されている。蝶番４は隣接する棚枠３ｂの支部部３ｃの側壁どうしを連結している。蝶番４は複数（本実施の形態では２つ）設けられるが、隣接する蝶番４の取付位置は、棚枠３ｂの積層方向で重ならない位置に設定されている。以上の構成を有して互いに開閉自在に連結されて積層された棚枠３ｂが底板３ａの上面に装着されている。装着は、例えば、最下層の棚枠３ｂを底板３ａにねじ止めすることで実施されている。
【００２６】
次に収納棚部３を収納板１に取り付ける構造を説明する。収納板１の上面の中央には、同一の軸長を有する４本の案内ピン５が立設されている。案内ピン５は次の位置に設置されている。すなわち、収納棚部３を底板３ａを下にして収納板１の上面中央に載置した際に、底板３ａの四隅それぞれに対向する位置に案内ピン５は配置されている。これにより、案内ピン５は収納棚部３の底面に垂直配置されている。
【００２７】
対角線上に対向する２対の案内ピン（５、５）のうちの一方対の案内ピン（以下、５’、５’と称す）には、図４に示すように、雌ねじ孔５ａが形成されている。雌ねじ孔５ａは、案内ピン（５’、５’）の上端に、ピン軸長に沿って形成されている。雌ねじ孔５ａには雄ねじ体５ｂが着脱自在に螺着されている。
【００２８】
底板３ａには、図３に示すように、案内孔３ｅと装着孔３ｆとが形成されている。案内孔３ｅは、案内ピン５の断面形状と同じ形状（例えば、円形）を有しており、収納棚部３を収納板１の上面中央に載置した際に、案内ピン５と対向する位置に配置されている。案内孔３ｅは案内ピン５の径より若干大きい径を有しており、案内ピン５が挿通可能となっている。
【００２９】
装着孔３ｆは、長円形状を有しており、雌ねじ孔５ａを有する案内ピン（５’、５’）に対向して設けられている。装着孔３ｆは、案内ピン（５’、５’）に対向する案内孔３ｅ（以下、案内孔３ｅ’という）と並列に設けられており、さらには案内孔３ｅ’に連通して形成されている。装着孔３ｆは、雄ねじ体５ｂの螺子軸５ｃが挿通可能でかつ案内ピン５’が挿通不能な大きさを有している。装着孔３ｆ、３ｆそれぞれは、長軸を互いに平行にして配置されており、さらには案内孔３ｅ’、３ｅ’の同じ側の端部（図３における案内孔３ｅ’の左側端部）に連通している。雄ねじ体５ｂは、装着孔３ｆと案内孔３ｅとに、それぞれ挿通不能な大きさを有する螺子頭５ｄを有している。
【００３０】
以上の構成を有するクロージャＡでは、雌ねじ孔５ａと雄ねじ体５ｂと装着孔３ｆとから棚部固定部６が構成され、案内ピン５と案内孔３ｅと棚部固定部６とから棚部装着機構７が構成されている。
【００３１】
次に光ケーブル用クロージャＡによる、光ケーブルＣの分岐部位Ｄの収納の概略を説明する。光ケーブルＣは、配電ボックス、配電室、トンネル等に引き込まれたうえで、以下のような準備処理が施される。すなわち、予め分岐部位Ｄにおいて外被Ｅが任意の長さに渡って剥がされ、これにより光ケーブルＣ内の複数の光ファイバＢが切断されることなく分岐部位Ｄで露出される。さらに、光ケーブルＣのテンションメンバＦが、分岐部位Ｄにおいて把持端Ｆａを残して切除される。
【００３２】
以上の準備処理と並行して配電ボックス、配電室、トンネル側面等に光ケーブル用クロージャＡが装着される。クロージャＡは、例えば、配電ボックス内部や配電室内部やトンネルの側壁面に装着される。そのうえで、光ケーブルＣの分岐部両端Ｄａが、クロージャＡの本線側ケーブルクランプ２Ａ、２Ｂによってそれぞれ把持される。さらに、テンションメンバＦの把持端Ｆａが、本線側ケーブルクランプ２Ａ、２Ｂのテンションメンバクランプ２ａによって把持される。以上の把持処理を行うことで、クロージャＡ内の分岐部位Ｄに光ファイバＢの余長Ｂａが形成される。形成された余長部Ｂａは巻回されたうえで、収納棚部３のいずれかの棚枠３ｂ（例えば、最下段の棚枠３ｂ）に収納される。
【００３３】
光ファイバの分岐処理は次のようにして行われる。すなわち、予め、分岐用光ファイバを含んだ分岐先の光ケーブルＣの接続端部を分岐用ケーブルクランプ２Ｃまたは分岐用ケーブルクランプ２Ｄで把持しておく。そのうえで、本線側の光ケーブルＣの余長部Ｂａから分岐対象とする光ファイバＢを選択的に引き出してその中途部を切断する。一方、分岐先の光ケーブルＣからも分岐接続対象とする光ファイバ（図示省略）を選択的に引き出す。そのうえで、本線側の光ファイバＢの余長部Ｂａの切断部位を、光コネクタや光融着部からなる光接続部（図示省略）を介して分岐接続対象の光ファイバ（図示省略）に光接続する。以上の分岐接続を行ったのち、分岐接続部位（光接続部位）を、収納棚部３の残余の棚枠３ｂ（例えば、中断の棚枠３ｂ）に収納する。
【００３４】
光ファイバＢの分岐接続処理は、収納棚部３の上方側の任意の数の棚枠３ｂを蝶番４を介して開いて所望の棚枠３ｂの上面を開放させた状態で行う必要がある。さらには、分岐接続処理を行ううえでは、収納棚部３の周囲に十分なる作業空間を確保する必要がある。以上のことを考慮して、クロージャＡでは、次のようにして、収納棚部３を収納板１に格納している。
【００３５】
まず、収納棚部３を格納した位置（棚部収納位置）におけるクロージャＡの状態ならびにこの状態にするための操作について説明する。準備の段階では、収納棚部３は収納板１から分離されている。さらに、収納板１の案内ピン（５’、５’）から雄ねじ体５ｂが分離されている。この状態で、収納棚部３の案内孔３ｅを収納板１の案内ピン５に挿通させて、図１、図２に示すように、収納棚部３を収納板１に当接する位置まで下降させる。この状態で、案内ピン（５’、５’）の上端にある雌ねじ孔５ａに雄ねじ体５ｂを螺着させる。これにより、収納棚部３は、雄ねじ体５ｂによって抜け止めされた状態で収納板１に装着される。装着が完了した状態では、収納棚部３は収納板１に当接する棚部収納位置に位置することになる。この位置になると、棚部締結帯１ａによって、収納棚部３を開放不能の状態で収納板１に締結する。
【００３６】
分岐処理が必要になると、まず、案内ピン（５’、５’）に対する雄ねじ体５ｂの螺着状態を緩めたうえで、棚部締結帯１ａによる収納棚部３の締結を解除する。そのうえで、図５、図６に示すように、収納棚部３を底板３ａが螺子頭５ｄに当接するまで案内ピン５に沿って上昇移動させる。底板３ａが螺子頭５ｄに当接する位置に到着すると、今度は、収納棚部３を収納板１の平面方向に沿って雄ねじ体５ｂの螺子軸５ｃが装着孔３ｆに相対的に入り込む方向にスライド移動させる。螺子軸５ｃが装着孔３ｆに入り込んだ状態になると、雄ねじ体５ｂを締め付けることで雄ねじ体５ｂの螺子頭５ｄと案内ピン（５’、５’）の上面との間で底板３ａを挟持する。これにより、収納棚部３は、案内ピン５の上端位置、すなわち、棚部作業位置に保持されることになる。収納棚部３が棚部作業位置に位置したのち、作業対象とする収納棚部３の任意の棚枠３ｂの上面が開放されるように、当該棚枠３ｂより上方の棚枠３ｂを蝶番４を介して開いた位置に回動させた状態で、棚部締結帯１ａによって収納棚部３を収納板１に締結する。
【００３７】
このようにして収納棚部３が上昇して棚部作業位置に位置すると、収納棚部３の周囲には、クランプ２Ａ〜２Ｄ等のクロージャ構成部品が存在しなくなって分岐処理作業に必要となる作業空間が十分に確保されることになる。なお、収納板１には、本線側の光ケーブルＣの分岐部位Ｄにおける一部もしくは全ての光ファイバＢや分岐先の光ケーブルＣの光ファイバを着脱自在に把持する把持部８が設けられており、これら光ファイバをばらけることなく収納効率良く収納板１や収納棚部３に収納することができる。
【００３８】
分岐処理作業が終了すると、まず、案内ピン（５’、５’）に対する雄ねじ体５ｂの螺着状態を緩めたうえで、図５、図６に示すように、収納棚部３を収納板１の平面方向に沿って雄ねじ体５ｂの螺子軸５ｃが案内孔３ｅに相対的に入り込む方向にスライド移動させる。螺子軸５ｃが案内孔３ｅに入り込んだ状態になると、収納棚部３を底板３ａが収納板１に当接するまで案内ピン５に沿って下降移動させる。底板３ａが収納板１に当接する位置に到着すると、今度は、雄ねじ体５ｂを締め付けて雌ねじ孔５ａから抜け出ないようにする。これにより、収納棚部３は、案内ピン５の下端位置、すなわち、棚部収納位置に位置することになる。収納棚部３を棚部収納位置に位置させたのち、棚部締結帯１ａによって収納棚部３を収納板１に締結する。
【００３９】
次に、棚部収納位置における収納棚部３と収納板１との間の収納板垂直方向に沿った離間距離hminの最適値と、棚部作業位置における収納棚部３と収納板１との間の収納板垂直方向に沿った離間距離hmaxの最適値とについて図８（ａ）、（ｂ）を参照して説明する。
【００４０】
離間距離hmin、hmaxは以下の式（１）、（２）により算定できる。
hmin = ht + hy                                      ・・・・ （１）
hmax = Δhmax + h0 - h1                             ・・・・ （２）
ここで、htは、ケーブルクランプ２Ａ〜２Ｄが有するテンションメンバクランプ２ａの高さ寸法であり、hyは、収納棚部３の最低部にある棚枠３ｂの高さ寸法であり、h0は、ケーブルクランプ２Ａ〜２Ｄの把持位置において光ケーブルＣから引き出された光ファイバＢのファイバ軸心と収納板１との間の収納板垂直方向に沿った離間距離であり、h1は、収納棚部３の最低部にある棚枠３ｂの底面とこの棚枠３ｂのファイバ引き込み位置における光ファイバＢのファイバ軸心との間の収納板垂直方向に沿った離間距離である。
【００４１】
一方、ケーブルクランプ２Ａ〜２Ｄの把持位置と収納棚部３の最低部にある棚枠３ｂのファイバ引き込み位置との間における許容最長ファイバ余長Lmaxは、以下の式（３）で算定できる。
Lmax = 2R・cos-1[1-(x2 + y2)/(8R2)]                   ・・・・（３）
ここで、許容最長ファイバ余長Lmaxは、ケーブルクランプ２Ａ〜２Ｄに把持された光ケーブルＣのファイバ引き出し位置と収納棚部３の最低部にある棚枠３ｂのファイバ引き込み位置との間における光ファイバＢの許容最長引き回し長さである。より具体的には、許容最長ファイバ余長Lmaxは、図８（ａ）に示すように、棚部作業位置での光ファイバＢの許容最長引き回し長さであり、図８（ｂ）に示すように、棚部収納位置での光ファイバＢの許容最長引き回し長さである。Rは、光ファイバＢの許容最小曲げ半径であり、xは、ケーブルクランプ２Ａ〜２Ｄに把持された光ケーブルＣのファイバ引き出し位置と収納棚部３の最低部にある棚枠３ｂのファイバ引き込み位置との間の収納板１の水平平面（ｘ−ｙ平面）におけるｘ軸方向に沿った離間距離である。yは、ケーブルクランプ２Ａ〜２Ｄに把持された光ケーブルＢのファイバ引き出し位置と収納棚部３の最低部にある棚枠３ｂのファイバ引き込み位置との間の収納板１の水平平面（ｘ−ｙ平面）平面のｙ軸方向に沿った離間距離である。
【００４２】
ケーブルクランプ２Ａ〜２Ｄの把持位置において光ケーブルＣから引き出された光ファイバＢのファイバ軸心と、収納棚部最低部にある棚枠３ｂのファイバ引き込み位置における棚部作業位置での光ファイバＢのファイバ軸心との間の収納板垂直方向に沿った離間距離Δhmaxと、上述した許容最長ファイバ余長Lmaxとの間には次の式（４）に示す関係式が成立する。
Lmax = 2R・tan-1p/q = √[-4R2 + x2 + (Δhmax - 2R)2]  ・・・・（４）
この式（４）を変形することで、離間距離Δhmaxは、次の式（４）’により算出できる。
Δhmax = √[(Lmax - 2R・tan-1p/q)2 + 4R2 - x2] ＋ 2R  ・・・・（４）’
ここで、式（４）、（４）’における変数p,qは、次の式（５）、（６）により算出できる。
p = [R2・a± R・b√(a2+b2+R2)] / (a2 + b2)            ・・・・（５）
q = (R2-p・a) / b                                     ・・・・（６）
さらには、式（５）、（６）における変数a,bは、次の式（７）、（８）により算出できる。
a = x/2                                               ・・・・（７）
b = (Δhmax - 2R) / 2                                 ・・・・（８）
本発明の光ケーブル用クロージャＡの形状データと、クロージャＡに収納される汎用の光ケーブルＣの特性とを上述した式（１）〜（８）に代入して離間距離hmin、hmaxを算定すれば良く、それを考慮すれば離間距離が２０ｍｍ以上１００ｍｍ以下であることが好ましい。
【符号の説明】
【００４３】
１              収納板
１ａ            棚部締結帯
２Ａ、２Ｂ      本線側ケーブルクランプ
２Ｃ、２Ｄ      分岐側ケーブルクランプ
２ａ            テンションメンバクランプ
３              収納棚部
３ａ            底板
３ｂ            棚枠
３ｃ            支持部
３ｄ            収納空間
３ｅ            案内孔
３ｆ            装着孔
４              蝶番
５              案内ピン
５ａ            雌ねじ孔
５ｂ            雄ねじ体
５ｃ            螺子軸
５ｄ            螺子頭
６              棚部固定部
７              棚部装着機構
８              把持部
Ａ              光ケーブル用クロージャ
Ｂ              光ファイバ
Ｂａ            余長
Ｃ              光ケーブル
Ｄ              分岐部位
Ｄａ            分岐部位両端
Ｅ              外被
Ｆ              テンションメンバ
Ｆａ            把持端
Ｇ              分岐先の光ケーブル
【図１】
0003191086.tif 000003
【図２】
0003191086.tif 000004
【図３】
0003191086.tif 000005
【図４】
0003191086.tif 000006
【図５】
0003191086.tif 000007
【図６】
0003191086.tif 000008
【図７】
0003191086.tif 000009
【図８】
0003191086.tif 000010